(57)【要約】【課題】オフ時の電子装置による電力消費を停止させるために、電源から電子装置を完全に切断する。【解決手段】電源から電子装置を切断する機構（１００）であって、ユーザーが操作できるスイッチ（１０２）と、電源を電子装置に結合させる電子式可制御スイッチ（１０４）と、ユーザーが操作できるスイッチの操作に応答して、電子式可制御スイッチをオンまたはオフにするフィードバック機構（１０６）とを備える。このフィードバック機構は、ユーザーが操作できるスイッチに結合した、ユーザーが操作できるスイッチの操作を検出する検出回路（２０２）と、電子式可制御スイッチに結合した、検出回路がユーザーが操作できるスイッチの操作を検出するのに応答して、電子式可制御スイッチをオンまたはオフにする制御回路とを備える。【選択図】図２
2005065495.tif 000002
【特許請求の範囲】
【請求項１】
ユーザーが操作できるスイッチと、
電源を電子装置に結合する電子式可制御スイッチと、
前記ユーザーが操作できるスイッチの操作に応答して、前記電子式可制御スイッチをオンまたはオフにするフィードバック機構と
を備えた、電源から電子装置を切断する機構。
【請求項２】
前記ユーザーが操作できるスイッチもまた前記電源を前記電子装置に結合するものであり、前記電子式可制御スイッチが、前記ユーザーが操作できるスイッチと並列に接続されていることを特徴とする請求項１に記載の機構。
【請求項３】
前記ユーザーが操作できるスイッチが、モーメンタリー・オン・スイッチであり、前記電子装置をオンにするために操作すると、前記電源を前記電子装置に一時的に結合させ、続いて、前記電子式可制御スイッチがオンになり、前記電源を前記電子装置に結合させることを特徴とする請求項２に記載の機構。
【請求項４】
前記ユーザーが操作できるスイッチが、オン・オフ・スイッチであり、前記電子装置をオフにするために、前記ユーザーが操作できるスイッチを操作すると、前記電子式可制御スイッチがオフになるまで、前記電子式可制御スイッチによって、前記電源と前記電子装置との結合が維持されることを特徴とする請求項２に記載の機構。
【請求項５】
前記電子式可制御スイッチはトライアックであることを特徴とする請求項１に記載の機構。
【請求項６】
前記フィードバック機構は、前記電子装置の制御された停止ルーチンが実施された後に、前記ユーザーが操作できるスイッチの操作に応答して、前記電子式可制御スイッチをオフにすることを特徴とする請求項１に記載の機構。
【請求項７】
前記フィードバック機構は、
前記ユーザーが操作できるスイッチに結合した、前記ユーザーが操作できるスイッチの操作を検出する検出回路と、
前記電子式可制御スイッチに結合した、前記検出回路が前記ユーザーが操作できるスイッチの操作を検出するのに応答して、前記電子式可制御スイッチをオンまたはオフにする制御回路と
を備えたものである請求項１に記載の機構。
【請求項８】
前記検出回路と前記制御回路とはそれぞれ、前記電子装置から前記電源を遮断する遮断検出回路を備えることを特徴とする請求項７に記載の機構。
【請求項９】
前記検出回路と前記制御回路の少なくともいずれかの前記遮断検出回路は、光遮断回路であることを特徴とする請求項８に記載の機構。
【請求項１０】
前記ユーザーが操作できるスイッチは、前記フィードバック機構から前記電源を電気的に遮断するのに十分な絶縁性を備えていることを特徴とする請求項１に記載の機構。
【発明の詳細な説明】
【技術分野】
【０００１】
本発明は、スイッチの機構に関し、詳細には、電源から電子装置を完全に切断するスイッチの機構に関する。
【背景技術】
【０００２】
インクジェット印刷装置とレーザー印刷装置、同様に、他のタイプのコンピューター周辺装置と他のタイプの電子装置といった画像形成装置は、オフであるが依然として電気コンセントなどの電源に接続されている場合には、通常、電力を消費する。一般的には、電子装置が電力を消費しないことを保証する方法は、物理的に電源から電子装置を切断することである。例えば、壁付きコンセントから装置のプラグを抜くこと、あるいは装置のプラグを差し込んだ過電圧防止機構、またはテーブル・タップをオフにすることがある。
【０００３】
近年、世界中の環境保護団体と政府機関は、ユーザーによってオフにされているが、しかし依然として電力を消費している、数十億ではなくても数百万のこうした電子装置が浪費するエネルギーに着目している。個々の電子装置によって、オフ時に消費される電力量は、数ワット未満かもしれない。しかし、世界中において動作している装置の膨大な数を追加すると、結果としてエネルギーの浪費量は驚異的なものとなる可能性がある。
【０００４】
電子装置は、ユーザーによって操作されると、装置による電源からの電力消費をすばやく停止させる電力線スイッチを含むことが可能である。しかし、多くのタイプの電子装置は、ユーザーが急に電源をオフにすることを受け入れない。例えば、画像形成装置は、通常、電源を落とす前に、停止シーケンスを実行する必要があり、インクジェット印刷装置の場合であれば、乾燥しないように、インクジェット印刷機構に再びキャップをかぶせることになる。例えば、印刷ジョブ中において、ユーザーがこうした装置に対する電源をオフにすると、インクジェット印刷機構に再びキャップをかぶせられないで、早めに乾燥する可能性があり、結果としてユーザーに不満を感じさせ、場合によっては装置の永久損傷に至ることになる。
【発明の開示】
【発明が解決しようとする課題】
【０００５】
本発明は、上記課題の少なくともいくつかを解決することを課題とする。
【課題を解決するための手段】
【０００６】
本発明の実施態様の１つによる電源から電子装置を切断するための機構は、ユーザーが操作できるスイッチと、電子式可制御スイッチと、フィードバック機構とを含む。電子式可制御スイッチは、電源を電子装置に結合する。フィードバック機構は、ユーザーが操作できるスイッチの操作に応答して、電子式可制御スイッチをオンまたはオフにする。
【発明を実施するための最良の形態】
【０００７】
本明細書において参照される図面は、明細書の一部を形成する。図面において示されている特徴は、本発明の実施態様の一部についてのみ例示するように意図したものであり、別段の明示的な指示がない限り、本発明の全ての実施態様について例示するように意図したものではない。
【０００８】
本発明の典型的な実施態様に関する下記の詳細な説明では、その一部をなし、例証のため、本発明の実施が可能な特定の典型的な実施態様が示されている、添付の図面が参照される。これらの実施態様は、当該技術者による実施態様の実施を可能にするのに十分なほど詳細に解説される。他の実施態様を利用することもでき、本発明の実施態様の真意または範囲を逸脱することなく、論理的、及び、機械的な他の変更を加えることも可能である。下記の詳細な説明は、従って、制限の意味にとるべきではなく、本発明の範囲を規定するのは付属の請求項だけである。
【０００９】
[スイッチ機構]
図１には、本発明の実施態様の１つによる、電源から電子装置を完全に切断するスイッチ機構１００が示されている。電子装置は、インクジェット印刷装置またはレーザー印刷装置のような画像形成装置、または、別のタイプの電子装置といった、コンピューター周辺装置とすることが可能である。電源は、壁付きコンセントを介して受電する交流（ＡＣ）とすることが可能である。電源は、バッテリまたは別のタイプの電源とすることも可能である。
【００１０】
スイッチ機構１００には、ユーザーが操作できるスイッチ（ユーザー操作スイッチ）１０２、電子式可制御スイッチ１０４、及び、フィードバック機構１０６が含まれている。ユーザー操作スイッチ１０２は、矢印１０８と矢印１１０とによって示されるように、電源を電子装置の電源に接続させる。ユーザー操作スイッチ１０２は、モーメンタリー・オン・スイッチ、または、プッシュ・オン、プッシュ・オフ・スイッチのようなオン・オフ・スイッチとすることが可能である。モーメンタリー・オン・スイッチは、ユーザーが押し下げている間はオンであり、ユーザーがスイッチを離すと、オフに戻るスイッチである。すなわち、モーメンタリー・オン・スイッチは、ユーザーがスイッチを操作している間はオン位置のままであり、別様の場合にはオフ位置にある。オン・オフ・スイッチは、ユーザーがオフ位置からスイッチを操作するとオンになり、ユーザーがスイッチを離した後、オン状態にとどまるスイッチである。オン・オフ・スイッチは、ユーザーがスイッチを操作するとオン位置からオフになり、ユーザーがスイッチを離した後、オフ状態にとどまる。また、電子式可制御スイッチ１０４は、電源を装置の電源に接続させ、従って、ユーザー操作スイッチ１０２と並列に接続されている。
【００１１】
フィードバック機構１０６は、ユーザーによるユーザー操作スイッチ１０２の操作をモニターし、それに応答することにより、電子式可制御スイッチ１０４をオンまたはオフにする。例えば、電子装置が当初オフで、ユーザー操作スイッチ１０２がモーメンタリー・オン・スイッチである場合、フィードバック機構１０６は、ユーザー操作スイッチ１０２の操作を検出すると、それに応答することにより、電子式可制御スイッチ１０４をオンにする。結果として、ユーザーが、ユーザー操作スイッチ１０２を離すと、電子式可制御スイッチ１０４が、電子装置の電源に対する電源の接続を維持する。ユーザー操作スイッチ１０２は、電子式可制御スイッチ１０４がオンになるまで、電源を装置の電源に一時的に接続させる。すなわち、ユーザー操作スイッチ１０２は、装置が作動することにより、電子式可制御スイッチ１０４をオンにすることができるように、電源を装置の電源に接続し、その後、ユーザー操作スイッチ１０２を離すと、オフにすることができる。
【００１２】
ユーザーが、再びユーザー操作スイッチ１０２を操作して、電子装置をオフにする場合には、フィードバック機構１０６が、その操作を検出して、応答し、電子式可制御スイッチ１０４をオフにする前に、電子装置に制御されている停止ルーチンを実施させることが可能である。ユーザーがスイッチ１０２を離しても、フィードバック機構１０６が電子式可制御スイッチ１０４をオフにするまで、電源は電子装置の電源に接続されているままである。これは、電子式可制御スイッチ１０４自体がオフになるまで、電子式可制御スイッチ１０４によって、電源と装置の電源との接続が維持されているためである。
【００１３】
制御されている停止ルーチンは、一般に、電子装置がそのコンポーネントと機構とを適正な状態にすることにより、電源を電子装置の電源から切断できるようにするために実施するルーチンとみなされる。例えば、インクジェット印刷装置の場合には、インクジェット印刷の機構は、インクを早めに乾燥させないために、キャップをかぶせることができる。従って、装置の内部コンポーネントと機構に対して、電子装置への給電を停止する前に、適正な状態に入る機会が与えられない、電子装置の急激な給電停止に比べると、制御されている停止ルーチンでは、電子装置の制御されている給電停止が行われるようにすることが可能である。
【００１４】
電子装置が当初オフで、ユーザー操作スイッチ１０２がオン・オフ・スイッチである場合、フィードバック機構１０６は、やはり、ユーザー操作スイッチ１０２の操作を検出すると、それに応答することにより、電子式可制御スイッチ１０４をオンにする。ユーザーがスイッチ１０２を操作して、電子装置をオフにする場合、フィードバック機構１０６は、その操作を検出して、応答し、電子式可制御スイッチ１０４をオフにする前に、電子装置に制御されている停止ルーチンを実施させることが可能である。従って、ユーザー操作スイッチ１０２がオフでも、フィードバック機構１０６が電子式可制御スイッチ１０４をオフにするまで、電源は電子装置の電源に接続されたままである。すなわち、ユーザー操作スイッチ１０２がオフになっても、電子式可制御スイッチ１０４自体がオフになるまで、電子式可制御スイッチ１０４によって、電源と装置の電源とは電気的に接続が維持されたままである。
【００１５】
スイッチ機構１００では、電子装置がオン状態ではない場合、電源１０８から装置の電源が完全に切断されるという保証が得られる。しかし、少なくとも本発明の実施態様の１つでは、電子式可制御スイッチ１０４から、マイクロアンペア単位により測定可能な極少の漏洩電流が生じる可能性もある。従って、「電子装置から電源を完全に切断する」という用語は、こうした極少の漏洩電流が依然として存在している状況を含む。同様に、「電力を消費しない電子装置」という用語は、こうした極少の漏洩電流が依然として消費されている状況を含む。ユーザー操作スイッチ１０２と電子式可制御スイッチ１０４は、矢印１０８と矢印１１０とによって示されるように、電源を装置の電源に接続するので、スイッチ１０２とスイッチ１０４とが両方ともオフの場合には、装置の電源には電力が供給されない。従って、電子装置は電力を消費しない。
【００１６】
しかし、電子式可制御スイッチ１０４がオフになるまでは、電源は装置の電源から切断されないので、電子装置は、まだ、電源が装置から切断される前に、制御されている停止ルーチンを実施することが可能である。ユーザー操作スイッチ１０２は、装置への電力供給を独立して制御するのではなく、電子式可制御スイッチ１０４と協調して機能するので、ユーザーが、ユーザー操作スイッチ１０２を用いて、電子装置から電源を急に切断することはできない。例えば、インクジェット印刷装置に関して、この意味するところは、この装置は、電子式可制御スイッチ１０４がオフになる前に、インクジェット印刷機構にキャップをかぶせるルーチン、及び／または、他のタイプの制御されている停止ルーチンを実施することができることである。
【００１７】
図２には、本発明の実施態様の１つによるスイッチ機構１００がさらに詳細に示されている。すなわち、図２の場合、フィードバック機構１０６は、検出回路２０２と制御回路２０４とを含むものとして実施されている。検出回路２０２は、ユーザー操作スイッチ１０２の操作を検出する。これに応答して、制御回路２０４は、電子式可制御スイッチ１０４を制御し、スイッチ１０４をオンまたはオフにする。検出回路２０２は、検出回路内において、電気的に電源が遮断されているように、遮断検出回路とすることが可能である。同様に、制御回路２０４は、内部において電気的に電源を遮断する遮断回路を含むことが可能である。こうした遮断回路は、ユーザー操作スイッチ１０２、電子式可制御スイッチ１０４、及び、電子装置の電源だけしか、電気的に電源に結合されないようにするのに望ましい可能性がある。遮断回路は、光遮断回路、または、他のタイプの遮断回路とすることが可能である。代替実施態様の場合、検出回路２０２は、遮断検出回路ではなく、その代わりに、ユーザー操作スイッチ１０２は、検出回路２０２から、従って、フィードバック機構１０６から電源を遮断するのに十分な絶縁性が施されている。
【００１８】
図３には、本発明の実施態様の１つによる、スイッチ機構１００のある特定の詳細な実施例が示されている。通常の当該技術者であれば明らかなように、他の実施例において、スイッチ機構１００を実施することも可能である。スイッチ機構１００は、矢印１０８が「ホット」すなわちラインリード３０４、及び、ニュートラルリード３０６を含む電源に接続されるように描かれている。電源は、壁付きコンセントに差し込まれたプラグを介して、スイッチ機構１００を接続することが可能なＡＣ電源とすることが可能である。
【００１９】
図３では、ユーザー操作スイッチ１０２は、極３２８と極３３０とを備えた二極単投スイッチとして描かれており、モーメンタリー・オン・スイッチまたはオン・オフ・スイッチとすることが可能である。スイッチ１０２は、電子装置の電源に電源を接続するか、または電子装置の電源から電源を切断し、この接続または切断に対応して、検出回路２０２をオンまたはオフにする。図３では、電子式可制御スイッチ１０４は、電流を制御するための３端子半導体素子であるトライアックとして示されている。図３では、検出回路２０２は、発光ダイオード（ＬＥＤ）のような表示素子３０８とフォトトランジスタのような検出素子３１０とを備えた光遮断回路として描かれている。従って、表示素子３０８と検出素子３１０との間における信号の伝達は、光を利用して行われ、素子３０８と素子３１０とは、互いに電気的に遮断されている。図３では、制御回路２０４は、トランジスタ３１８、ＬＥＤのような表示素子３２２、及びフォトトランジスタのような検出素子３２４を備えた光遮断回路３２０を含むものとして描かれている。
【００２０】
電子装置がオフで、ユーザーが、ユーザー操作スイッチ１０２を操作すると、スイッチ１０２の極３３０は、矢印１０８と矢印１１０とによって示されるように、電源３０２を装置の電源に接続する。スイッチ１０２の極３２８は、矢印３１２によって示されるように、検出素子３１０が、検出する光を送り出す表示素子３０８をオンにする。結果生じる光の検出は、矢印３１４によって示されるように、信号により制御論理回路に伝えられる。制御論理回路は、矢印３１６によって示されるように、トランジスタ３１８がオフのままであることを保証し、これによって、表示素子３２２がオンになる。
【００２１】
制御論理回路は、ハードウェア、ソフトウェア、または、ハードウェアとソフトウェアとの組み合わせによって実施可能である。制御論理回路は、検出素子３１０をモニターするスイッチ機構１００のフィードバック機構１０６の一部である。制御論理回路は、検出素子３１０のモニターに応答し、トランジスタ３１８を介して、表示素子３２２を制御するフィードバック機構１０６の一部でもある。最後に、制御論理回路は、さらに、制御されている停止ルーチンの実施を開始する、または制御されている停止ルーチンを実施する。
【００２２】
矢印３２６によって示されるように、表示素子３２２によって放出される光は、検出素子３２４によって検出される。これによって、電子式可制御スイッチ１０４がオンになる。従って、ユーザー操作スイッチ１０２は、モーメンタリー・オン・スイッチである場合には、ユーザーがスイッチ１０２を離すと、電子式可制御スイッチ１０４が、電源３０２から電子装置の電源に電力の供給を維持する。
【００２３】
ユーザー操作スイッチ１０２は、モーメンタリー・オン・スイッチである、電子装置がオンの場合、スイッチ１０２をユーザーが操作すると、スイッチ１０２の極３２８によって表示素子３０８がオンになる。検出素子３１０は、矢印３１２によって示されるように、表示素子３０８によって放出される光を検出し、矢印３１４によって示されるように、制御論理回路に信号により伝えられる。制御論理回路は、制御されている停止ルーチンを実施させる。
【００２４】
次に、制御論理回路は、矢印３１６によって示されるように、トランジスタ３１８をオンにし、これによって、表示素子３２２がオフになる。表示素子３２２が、発光を停止すると、検出素子３２４がオフになり、その結果、電子式可制御スイッチ１０４がオフになる。ユーザーが、ユーザー操作スイッチ１０２を離すと、スイッチ１０２も電子式可制御スイッチ１０４もオンではないので、電源３０２は、電子装置の電源から完全に切断される。停止シーケンス（動作をしている）中において、シーケンスが完了する前に、ユーザーがスイッチ１０２を離しても、制御論理回路がトランジスタ３１８をオンにし、その結果、表示素子３２２がオフになるまで、電子式可制御スイッチ１０４はオンのままである。表示素子３２２からの光が中断すると、検出素子３２４がオフになり、その結果、電子スイッチ１０４がオフになって、電源１０８が装置の電源１１０から完全に切断されることになる。
【００２５】
ユーザー操作スイッチ１０２はオン・オフ・スイッチである、電子装置がオンの場合、ユーザーがスイッチ１０２を操作すると、スイッチ１０２の極３２８がオフになり、表示素子３０８がオフになる。検出素子３１０が、これに応じてオフになり、矢印３１４によって示されるように、信号により有効に制御論理回路に伝える。制御論理回路は、制御されている停止ルーチンを実施させることが可能になる。次に、制御論理回路は、矢印３１６によって示されるように、トランジスタ３１８をオンにし、その結果、表示素子３２２がオフになる。表示素子３２２が、発光を中止すると、検出素子３２４がオフになり、その結果、電子式可制御スイッチ１０４がオフになる。電子式可制御スイッチ１０４がオフになると、ユーザーによるユーザー操作スイッチ１０２の操作によって、ユーザー操作スイッチ１０２があらかじめオフにされているので、スイッチ１０２とスイッチ１０４ともオンではなくなるため、電源３０２は、電子装置の電源から完全に切断される。
【００２６】
[スイッチ機構の利用方法]
図４Ａにおいて、本発明の実施態様の１つによる、スイッチ機構１００を用いて電子装置をオンにするための方法４００が示されているが、この場合、スイッチ機構１００のユーザー操作スイッチ１０２は、モーメンタリー・オン・スイッチまたはオン・オフ・スイッチである。方法４００は、特に、図３のスイッチ機構１００に適用可能である。方法４００は、図１または図２のスイッチ機構１００にも適用可能である。
【００２７】
電子装置は、当初オフであり（４０２）、ユーザーが、ユーザー操作スイッチ１０２を操作して、電子装置をオンにする（４０４）。ユーザー操作スイッチ１０２がモーメンタリー・オン・スイッチの場合には、ユーザー操作スイッチ１０２を操作すると、一時的に電源３０２が、それに応じて電子装置の電源に接続される。ユーザー操作スイッチ１０２の操作が検出される（４０６）。すなわち、ユーザー操作スイッチ１０２を操作すると、表示素子３０８がオンになって、発光して（４０８）、表示素子３０８からの光が検出素子３１０によって検出される（４１０）。
【００２８】
ユーザー操作スイッチ１０２の操作検出に応答して、電子式可制御スイッチ１０４がオンになる（４１２）。スイッチ１０２がモーメンタリー・オン・スイッチである場合、スイッチ１０４をオンにすると、ユーザーがスイッチ１０２を離した後も、電子装置の電源に対する電源３０２の接続が維持される。すなわち、ユーザー操作スイッチ１０２の操作検出に応答して、第２の表示素子３２２がオンになり発光する（４１４）。表示素子３２２からの光は、第２の検出素子３２４によって検出され（４１６）、検出素子３２４に電流が流れる（４１８）。この結果、電子式可制御スイッチ１０４がオンになる（４２０）。
【００２９】
図４Ｂには、本発明の実施態様の１つによる、スイッチ機構１００を用いる電子装置をオフにするための方法４５０が示されているが、この場合、スイッチ機構１００のユーザー操作スイッチ１０２は、モーメンタリー・オン・スイッチまたはオン・オフ・スイッチである。方法４５０は、特に、図３のスイッチ機構１００に用いることが可能である。方法４５０は、一般に、図１または図２のスイッチ機構１００に用いることが可能である。
【００３０】
電子装置は、当初オンであり（４５２）、ユーザーが、ユーザー操作スイッチ１０２を操作して、電子装置をオフにする（４５４）。ユーザー操作スイッチ１０２の操作が検出される（４５６）。ユーザー操作スイッチ１０２がモーメンタリー・オン・スイッチの場合には、ユーザー操作スイッチ１０２を操作すると、表示素子３０８がオンになって、発光して（４５８）、表示素子３０８からの光が検出素子３１０によって検出される（４６０）。ユーザー操作スイッチ１０２がオン・オフ・スイッチの場合には、ユーザー操作スイッチ１０２を操作すると、表示素子３０８がオフになって、発光が停止して（４５８）、表示素子３０８からの光の消失が、検出素子３１０によって検出される（４６０）。
【００３１】
ユーザー操作スイッチ１０２の操作検出に応答して、まず、制御されている停止ルーチンが実施される（４６２）。スイッチ１０２がオン・オフ・スイッチの場合、ユーザーがスイッチ１０２を既にオフにしていたとしても、電子式可制御スイッチ１０４がオンのままであるため、制御されている停止ルーチンを実施することが可能である。次に、電子式可制御スイッチ１０４がオフになる（４６４）。ユーザー操作スイッチ１０２がモーメンタリー・オン・スイッチの場合には、ユーザーが、ユーザー操作スイッチ１０２を離すと、スイッチ極３３０を介した電子装置の電源に対する電源３０２の接続が切断されるが、制御されている停止ルーチン（４６２）の完了前に、スイッチが離されたとしても、制御論理回路によってオフになるまで（４６４）、電子式可制御スイッチ１０４によって、電子装置の電源に対する電源３０２の接続を維持することが可能である。スイッチ１０２がオン・オフ・スイッチである場合、電子装置の電源に対する電源３０２の接続は、停止ルーチン（４６２）の間は、電子式可制御スイッチ１０４によって維持される。停止ルーチンが完了すると、スイッチ１０２が既にオフになっているので、電源３０２から装置の電源の接続は、電子式可制御スイッチ１０４をオフにすることですぐに切断される。
【００３２】
すなわち、ユーザー操作スイッチ１０２の操作検出に応答して、第２の表示素子３２２がオフになり、従って、発光を停止する（４６６）。表示素子３２２からの光の消失が、第２の検出素子３２４によって検出される（４６８）。すなわち、電流が検出素子３２４に流れなくなり（４７０）、電子式可制御スイッチがオフになる（４７２）。
【００３３】
[代表的電子装置と結論]
図５は、本発明の実施態様の１つによる代表的な電子装置５００のブロック図である。通常の当該技術者には明らかなように、電子装置５００には、図５に描かれたものに追加される、及び／または、それらの代わりとなるコンポーネントを含むことも可能であるが、図５には、特に、本発明の実施態様の１つを実施するのに必要とされるコンポーネントだけが描かれている。電子装置５００は、レーザー印刷またはインクジェット印刷装置のような画像形成装置、別のタイプのコンピューター周辺装置、または、別のタイプの電子装置とすることが可能である。
【００３４】
電子装置５００には、電子機構５０２、電源５０４、及び、図１、図２、及び／または、図３のスイッチ機構１００が含まれている。電子機構５０２は、電子装置５００の意図する機能を実施する機構である。例えば、電子機構５０２は、装置５００がインクジェット印刷装置である場合の、インクジェット印刷機構、または、装置５００がレーザー印刷装置である場合の、レーザー印刷機構のような、装置５００が画像形成装置である場合の画像形成機構とすることが可能である。
【００３５】
電源５０４は、電源から電子機構５０２に電力を供給するものであり、図１、図２、及び、図３の矢印１１０によって指し示されている電源である。例えば、電源５０４は、交流（ＡＣ）を直流（ＤＣ）に変換することが可能であり、この場合、前者のタイプの電力は一次電力と呼び、後者のタイプの電力は二次電力と呼ぶことができる。スイッチ機構１００は、既述のように、オンになり、電源が電源５０４に接続されて電子装置５００がオンになる、またはオフになり、電源が電源５０４に接続されて電子装置５００がオフになる。スイッチ機構１００には、オン状態からオフ状態への遷移時に、制御されている停止シーケンスが実施されるまで、電源への接続を維持する機能が含まれている。装置５００がオフになると、スイッチ機構１００によって、電源５０４、従って、装置５００は電源から完全に切断され、電源５０４、従って、装置５００は電力を消費しなくなる。
【００３６】
本明細書では、特定の実施態様について例示し、解説してきたが、通常の当該技術者には明らかなように、示されている特定の実施態様の代わりに、同じ目的を実現するように意図されている任意の構成を用いることも可能であるという点に留意されたい。本明細書に解説のもの以外に、本発明の実施態様の他の適用例と用途は、少なくともいくつかの実施態様になじみやすい。本出願は、本発明の実施態様に対するいかなる改変または変更をも包含するように意図したものである。従って、本発明の実施態様は、明らかに、請求項とその同等物による制限だけしか受けないことを意図したものである。
【図面の簡単な説明】
【００３７】
【図１】本発明の実施態様の１つによる、電源から電子装置を完全に切断する機構の図である。
【図２】本発明の実施態様の１つによる、図１の機構のより詳細な図である。
【図３】本発明の実施態様の１つによる、電源から電子装置を完全に切断する特定の機構の電気接続図である。
【図４Ａ】本発明の実施態様の１つによる、電子装置をオンにする図３の機構を利用するための方法のフローチャートである。
【図４Ｂ】本発明の実施態様の１つによる、電子装置をオフにする図３の機構を利用するための方法のフローチャートである。
【図５】本発明の実施態様の１つによる電源から電子装置を完全に切断するスイッチ機構を含む代表的な電子装置のブロック図である。
【符号の説明】
【００３８】
１００  電源切断機構
１０２  ユーザーが操作できるスイッチ
１０４  電子式可制御スイッチ
１０６  フィードバック機構
２０２  検出回路
２０４  制御回路
【図１】
2005065495.tif 000003
【図２】
2005065495.tif 000004
【図３】
2005065495.tif 000005
【図４Ａ】
2005065495.tif 000006
【図４Ｂ】
2005065495.tif 000007
【図５】
2005065495.tif 000008